(57)【要約】【課題】デザイン性の良好なプラズマディスプレイ装置。【解決手段】表示パネルと、前記表示パネルの光放射側に設置されたフィルタ基板とを有するプラズマディスプレイ装置であって、前記フィルタ基板は、ガラス基板で構成され、前面および裏面と、４つの側面とを有し、前記フィルタ基板は、前記前面が、前記裏面よりも前記表示パネルから遠い側になるように配置され、前記４つの側面のうち、少なくとも２つの対向する側面は、少なくとも一つの嵌合部を有し、前記フィルタ基板は、該フィルタ基板の前記側面の側に配置された支持部材により支持され、前記支持部材は、前記嵌合部のそれぞれと嵌合する凹部を有し、当該ディスプレイ装置を前記フィルタ基板の側面の側から見たとき、前記フィルタ基板の前面は、前記支持部材と実質的にフラットな平面を形成することを特徴とするプラズマディスプレイ装置。【選択図】図３
2012083557.tif 000002
【特許請求の範囲】
【請求項１】
表示パネルと、前記表示パネルの光放射側に設置されたフィルタ基板とを有するプラズマディスプレイ装置であって、
前記フィルタ基板は、ガラス基板で構成され、前面および裏面と、４つの側面とを有し、
前記フィルタ基板は、前記前面が、前記裏面よりも前記表示パネルから遠い側になるように配置され、
前記４つの側面のうち、少なくとも２つの対向する側面は、少なくとも一つの嵌合部を有し、
前記フィルタ基板は、該フィルタ基板の前記側面の側に配置された支持部材により支持され、
前記支持部材は、前記嵌合部のそれぞれと嵌合する凹部を有し、
当該ディスプレイ装置を前記フィルタ基板の側面の側から見たとき、前記フィルタ基板の前面は、前記支持部材と実質的にフラットな平面を形成することを特徴とするプラズマディスプレイ装置。
【請求項２】
前記４つの側面のうち、３つまたは全ての側面が、少なくとも一つの嵌合部を有することを特徴とする請求項１に記載のプラズマディスプレイ装置。
【請求項３】
前記少なくとも一つの嵌合部は、前記ガラス基板の先端を、実質上Ｌ字型に変形させることにより形成されていることを特徴とする請求項１または２に記載のプラズマディスプレイ装置。
【請求項４】
前記少なくとも一つの嵌合部は、少なくとも１面がテーパ形状を有する凸部であることを特徴とする請求項１または２に記載のプラズマディスプレイ装置。
【請求項５】
前記表示パネルと前記フィルタ基板との間に、接着層が設けられていることを特徴とする請求項１乃至４のいずれか一つに記載のプラズマディスプレイ装置。
【請求項６】
前記フィルタ基板は、前記前面および裏面の少なくとも一方に、機能膜が設置されており、該機能膜は、電磁波遮蔽膜、反射防止膜、および近赤外線吸収膜のうちの少なくとも一つであることを特徴とする請求項１乃至５のいずれか一つに記載のプラズマディスプレイ装置。
【請求項７】
第１および第２の主表面と、４つの側面とを有するガラス基板で構成されたプラズマディスプレイ装置用のフィルタ基板であって、
前記４つの側面のうち、少なくとも２つの対向する側面は、少なくとも一つの嵌合部を有することを特徴とするプラズマディスプレイ装置用のフィルタ基板。
【請求項８】
前記少なくとも一つの嵌合部は、前記ガラス基板の先端を、実質上Ｌ字型に変形させることにより形成されていることを特徴とする請求項７に記載のフィルタ基板。
【請求項９】
前記少なくとも一つの嵌合部は、少なくとも１面がテーパ形状を有する凸部であることを特徴とする請求項７に記載のフィルタ基板。
【請求項１０】
前記第１および第２の主表面の少なくとも一方には、機能膜が設置されており、該機能膜は、電磁波遮蔽膜、反射防止膜、および近赤外線吸収膜のうちの少なくとも一つであることを特徴とする請求項７乃至９のいずれか一つに記載のフィルタ基板。
【発明の詳細な説明】
【技術分野】
【０００１】
本発明は、プラズマディスプレイ装置の前面に設置されるフィルタ基板、およびそのようなフィルタ基板を有するプラズマディスプレイ装置に関する。
【背景技術】
【０００２】
薄型テレビジョン等に適用される液晶ディスプレイ（ＬＣＤ）、プラズマディスプレイパネル（ＰＤＰ）および有機ＥＬ（Ｅｌｅｃｔｒｏｌｕｍｉｎｅｓｃｅｎｔ）ディスプレイ（ＯＥＬＤ）等のＦＰＤ（Ｆｌａｔ  Ｐａｎｅｌ  Ｄｉｓｐｌａｙ）装置では、表示パネルの前面に、「フィルタ基板」または「前面板」と呼ばれるガラス製の基板が設置されている。
【０００３】
このフィルタ基板は、主として、周囲光の反射防止、ＦＰＤ装置の強度向上、およびＦＰＤ装置の衝撃破損防止等を目的として設置される。また、プラズマディスプレイパネルの場合、フィルタ基板は、電磁波シールドとしての役割をも有する。
【０００４】
例えば、特許文献１には、装置内にシールド構造を構成するため、裏面にメッシュフィルムを設置したフィルタ基板を有するプラズマディスプレイ装置が記載されている。
【先行技術文献】
【特許文献】
【０００５】
【特許文献１】特開２００６−５８８６８号公報
【発明の概要】
【発明が解決しようとする課題】
【０００６】
従来のプラズマディスプレイ装置の場合、フィルタ基板は、前方支持部材によって、少なくとも前側（プラズマディスプレイ装置の視聴側）の周囲を覆われた状態で支持される。従って、プラズマディスプレイ装置の前面において、前方支持部材は、フィルタ基板よりも突出した状態にある。
【０００７】
一方、最近は、プラズマディスプレイ装置のデザイン性のさらなる向上の観点から、前方支持部材の「出っ張り」を目立たなくして、視聴者にすっきりした印象が得られるような構造が要望されるようになってきている。
【０００８】
この要望に応えるため、プラズマディスプレイ装置において、例えば、前方支持部材を排除して、フィルタ基板を、後側（プラズマディスプレイ装置の視聴側の反対側）に設置された接着剤等を介して表示パネル側と固定することが考えられる。しかしながら、この場合、フィルタ基板は、接着剤のみで支持されることとなり、フィルタ基板の剥離や脱落の問題が生じ得る。
【０００９】
このように、デザイン性を重視した構造と、フィルタ基板を安定に支持、固定する構造とを両立させることは、難しいという問題がある。
【００１０】
本発明は、このような背景に鑑みなされたものであり、本発明では、支持部材を用いてフィルタ基板を支持する構造でありながら、デザイン性も向上することが可能なプラズマディスプレイ装置を提供することを目的とする。またそのようなプラズマディスプレイ装置に使用され得るフィルタ基板を提供することを目的とする。
【課題を解決するための手段】
【００１１】
本発明では、
表示パネルと、前記表示パネルの光放射側に設置されたフィルタ基板とを有するプラズマディスプレイ装置であって、
前記フィルタ基板は、ガラス基板で構成され、前面および裏面と、４つの側面とを有し、
前記フィルタ基板は、前記前面が、前記裏面よりも前記表示パネルから遠い側になるように配置され、
前記４つの側面のうち、少なくとも２つの対向する側面は、少なくとも一つの嵌合部を有し、
前記フィルタ基板は、該フィルタ基板の前記側面の側に配置された支持部材により支持され、
前記支持部材は、前記嵌合部のそれぞれと嵌合する凹部を有し、
当該ディスプレイ装置を前記フィルタ基板の側面の側から見たとき、前記フィルタ基板の前面は、前記支持部材と実質的にフラットな平面を形成することを特徴とするプラズマディスプレイ装置が提供される。
【００１２】
ここで、本発明のプラズマディスプレイ装置において、前記４つの側面のうち、３つまたは全ての側面が、少なくとも一つの嵌合部を有しても良い。
【００１３】
また、本発明のプラズマディスプレイ装置において、前記少なくとも一つの嵌合部は、前記ガラス基板の先端を、実質上Ｌ字型に変形させることにより形成されても良い。
【００１４】
また、本発明のプラズマディスプレイ装置において、前記少なくとも一つの嵌合部は、少なくとも１面がテーパ形状を有する凸部であっても良い。
【００１５】
また、本発明のプラズマディスプレイ装置では、前記表示パネルと前記フィルタ基板との間に、接着層が設けられても良い。
【００１６】
また、本発明のプラズマディスプレイ装置において、前記フィルタ基板は、前記前面および裏面の少なくとも一方に、機能膜が設置されており、該機能膜は、電磁波遮蔽膜、反射防止膜、および近赤外線吸収膜のうちの少なくとも一つであっても良い。
【００１７】
また、本発明では、
第１および第２の主表面と、４つの側面とを有するガラス基板で構成されたプラズマディスプレイ装置用のフィルタ基板であって、
前記４つの側面のうち、少なくとも２つの対向する側面は、少なくとも一つの嵌合部を有することを特徴とするプラズマディスプレイ装置用のフィルタ基板が提供される。
【００１８】
ここで、本発明のフィルタ基板において、前記少なくとも一つの嵌合部は、前記ガラス基板の先端を、実質上Ｌ字型に変形させることにより形成されても良い。
【００１９】
また、本発明のフィルタ基板において、前記少なくとも一つの嵌合部は、少なくとも１面がテーパ形状を有する凸部であっても良い。
【００２０】
また、本発明のフィルタ基板において、前記第１および第２の主表面の少なくとも一方には、機能膜が設置されており、該機能膜は、電磁波遮蔽膜、反射防止膜、および近赤外線吸収膜のうちの少なくとも一つであっても良い。
【発明の効果】
【００２１】
本発明では、支持部材を用いてフィルタ基板を支持する構造でありながら、デザイン性も向上することが可能なプラズマディスプレイ装置を提供することができる。またそのようなプラズマディスプレイ装置に使用され得るフィルタ基板を提供することができる。
【図面の簡単な説明】
【００２２】
【図１】従来のプラズマディスプレイ装置の一構成例を概略的に示した断面図である。
【図２】本発明によるプラズマディスプレイ装置の一構成例を概略的に示した断面図である。
【図３】本発明によるプラズマディスプレイ装置において、フィルタ基板と支持部材の部分の概略的な断面の一例を示した図である。
【図４】フィルタ基板および支持部材の別の構成を概略的に示した断面図である。
【図５】フィルタ基板および支持部材のさらに別の構成を概略的に示した断面図である。
【図６】フィルタ基板および支持部材のさらに別の構成を概略的に示した断面図である。
【図７】フィルタ基板および支持部材のさらに別の構成を概略的に示した断面図である。
【発明を実施するための形態】
【００２３】
以下、図面を参照して、本発明について説明する。
【００２４】
本発明の特徴をより良く理解するため、最初に、従来のプラズマディスプレイ装置の構成について簡単に説明する。
【００２５】
図１には、従来のプラズマディスプレイ装置の典型的な断面構成図を示す。
【００２６】
図１の例では、矢印５０の側が、プラズマディスプレイ装置１０の前側、すなわち光放射側となり、矢印６０の側が、プラズマディスプレイ装置１０の後側となる。
【００２７】
図１に示すように、従来のプラズマディスプレイ装置１０は、フィルタ基板１５、前方支持部材２０、後部筐体２５、表示パネル３０、基板３１、および内部金具３５等を有する。
【００２８】
前方支持部材２０は、表示パネル３０の前方に、フィルタ基板１５を支持、固定する役割を有する。
【００２９】
後部筐体２５は、後部樹脂部材２５ａおよび後部金属部材２５ｂとで構成され、両者は、ビス１３により固定される。フィルタ基板１５、前方支持部材２０、および後部筐体２５により、内部に表示パネル３０等を収容する筐体が構成される。
【００３０】
また、内部金具３５と後部金属部材２５ｂの間には、導電性のガスケット４０が配置されている。
【００３１】
プラズマディスプレイ装置１０の場合、電磁波妨害対策等のため、内部に、表示パネル３０および基板３１等を取り囲むシールド構造を形成する必要があり、内部金具３５は、このために使用される。すなわち、フィルタ基板１５の裏面（表示パネル３０側）には、メッシュフィルムが設置されており、フィルタ基板１５（メッシュフィルム）〜内部金具３５〜ガスケット４０〜後部金属部材２５ｂ〜内部金具３５により、シールド構造が形成される。
【００３２】
ここで、図１から明らかなように、従来のプラズマディスプレイ装置１０では、フィルタ基板１５は、前方支持部材２０によって、前面の周囲を覆われた状態で支持される。従って、プラズマディスプレイ装置１０の前側５０において、前方支持部材２０は、フィルタ基板１５よりも突出した状態にある。
【００３３】
ところが、最近は、視聴者にすっきりとした印象が得られるプラズマディスプレイ装置が人気を博するようになってきており、このような前方支持部材２０が前方に突出した構造は、デザイン的、美感的に問題がある。
【００３４】
また、このような最近の傾向に対応するため、プラズマディスプレイ装置において、例えば、前方支持部材２０を排除して、フィルタ基板１５を、裏面に設置された接着剤等を介して、表示パネル３０の側のみで固定する構造が考えられる。しかしながら、この場合、フィルタ基板１５は、接着剤のみで支持されることとなり、フィルタ基板１５が装置から剥離したり、脱落したりする危険性が生じる。
【００３５】
このように、前方支持部材２０を用いてフィルタ基板１５を安定に支持、固定する構造では、デザイン性が劣る一方、デザイン性を重視した構造では、プラズマディスプレイ装置の健全性、安全性に問題が生じるため、両者を両立させることは難しいという問題がある。
【００３６】
これに対して、本発明によるプラズマディスプレイ装置は、
表示パネルと、前記表示パネルの光放射側に設置されたフィルタ基板とを有し、
前記フィルタ基板は、ガラス基板で構成され、前面および裏面と、４つの側面とを有し、
前記フィルタ基板は、前記前面が、前記裏面よりも前記表示パネルから遠い側になるように配置され、
前記４つの側面のうち、少なくとも２つの対向する側面は、少なくとも一つの嵌合部を有し、
前記フィルタ基板は、該フィルタ基板の前記側面の側に配置された支持部材により支持され、
前記支持部材は、前記嵌合部のそれぞれと嵌合する凹部を有し、
当該ディスプレイ装置を前記フィルタ基板の側面の側から見たとき、前記フィルタ基板の前面は、前記支持部材と実質的にフラットな平面を形成するという特徴を有する。
【００３７】
このような構成では、支持部材を用いてフィルタ基板を支持する構造でありながら、デザイン性も向上することが可能なプラズマディスプレイ装置を提供することができる。従って、本発明の構成を採用することにより、フィルタ基板を安定に支持、固定することができ、さらにデザイン性に優れたプラズマディスプレイ装置を提供することが可能となる。
【００３８】
（本発明のプラズマディスプレイ装置）
以下、図２、図３を参照して、本発明によるプラズマディスプレイ装置の構成について説明する。
【００３９】
図２には、本発明によるプラズマディスプレイ装置の概略的な断面の一例を示す。また、図３には、本発明によるプラズマディスプレイ装置に使用されるフィルタ基板および支持部材の概略的な部分拡大断面図を示す。
【００４０】
なお、図２において、プラズマディスプレイ装置１００は、大部分が図１に示したプラズマディスプレイ装置１０と同様に構成されているため、以下、特に、図１とは異なる構成部分を中心に、プラズマディスプレイ装置１００について説明する。
【００４１】
図２に示すように、本発明によるプラズマディスプレイ装置１００は、フィルタ基板１１５と、支持部材１２０と、後部筐体１２５とを有する。これらの部材の組み合わせにより、内部に空間を有する筐体が形成され、この空間に、表示パネル１３０、基板、および回路（図示されていない）などが収容される。
【００４２】
図２において、上側がプラズマディスプレイ装置１００の前側１５０（光放射側）となり、下側がプラズマディスプレイ装置１００の後側１６０となる。従って、表示パネル１３０は、図２の上方向に、所定の画像（光）を放射する。
【００４３】
フィルタ基板１１５は、表示パネル１３０の「前方」に設置され、電磁波遮蔽、近赤外線遮断、反射防止等の役割を有する。フィルタ基板１１５は、前面１１８Ａおよび裏面１１８Ｂ、および４つの側面１１８Ｓを有するガラス基板１１８で構成される。
【００４４】
支持部材１２０は、フィルタ基板１１５の側面に配置され、フィルタ基板１１５を支持、固定する役割を有する。
【００４５】
前述のように、プラズマディスプレイ装置の場合、電磁波妨害対策等のため、表示パネル１３０および回路等を取り囲むシールド構造を内部に形成する必要がある。このため、このプラズマディスプレイ装置１００では、フィルタ基板１１５の裏面に、電磁波遮蔽膜１９５Ｂ（詳細は、図３参照）が設置される。すなわち、フィルタ基板１１５の裏面の電磁波遮蔽膜１９５Ｂ〜２つの内部金属部材１３５Ａ、１３５Ｂ〜後部筐体１２５〜２つの内部金属部材１３５Ｂ、１３５Ａにより、シールド構造が構成される。
【００４６】
内部金属部材１３５Ａは、支持部材１２０とビス１１３Ａにより固定され、これにより、フィルタ基板１１５も、内部金属部材１３５Ａに対して位置が固定される。一方、内部金属部材１３５Ｂは、ビス１１３Ｂにより後部筐体１２５と固定される。また、後部筐体１２５と支持部材１２０は、内部金属部材１３５Ａ、１３５Ｂを介して、ビス１１３Ｃにより固定される。
【００４７】
図３には、フィルタ基板１１５と支持部材１２０の部分の概略的な拡大断面図を示す。
【００４８】
図３に示すように、フィルタ基板１１５を構成するガラス基板１１８は、裏面１１８Ｂの周縁部近傍に、セラミック層１９６を有する。
【００４９】
このセラミック層１９６は、プラズマディスプレイ装置１００のデザイン性や装飾性を高めるために設置される。ただし、セラミック層１９６の設置は、任意である。また、セラミック層の代わりに、樹脂製塗料などを用いた有機印刷層を設置しても良い。
【００５０】
また、ガラス基板１１８は、裏面１１８Ｂに電磁波遮蔽膜１９５Ｂを有する。電磁波遮蔽膜１９５Ｂの一部分の上には、導電性のガスケット１９８が設置される。この導電性のガスケット１９８は、内部金属部材１３５Ａ（図３には示されていない）と、支持部材１２０とを、ビス１１３Ａにより固定する際のクッション材としての役割を有する。
【００５１】
さらに、ガラス基板１１８は、表面１１８Ａの側に反射防止膜１９５Ａを有し、裏面１１８Ｂに保護膜（図示されていない）を有しても良い。ただし、これらの設置は、任意である。
【００５２】
ここで、本発明によるフィルタ基板１１５は、ガラス基板の側面１１８Ｓが嵌合部（凸部）１７０を有するという特徴を有する。また、支持部材１２０は、この嵌合部１７０と丁度嵌合する形状の凹部１８０を有する。例えば、図２、図３の例では、ガラス基板の側面１１８Ｓは、一つの面がテーパ形状となっている凸部１７０を有し、支持部材１２０は、このテーパ形状の凸部１７０と丁度嵌合する形状の凹部１８０を有する。本発明における嵌合部は、図２、図３、ならびに後述する図４、図５および図６のような凸形状の凸部であることが好ましい。
なお、支持部材１２０は、通常、金属または樹脂で構成されるため、このような凹部１８０は、比較的容易に形成することができる。
【００５３】
このようなガラス基板１１８の側面１１８Ｓおよび支持部材１２０の構造では、支持部材１２０は、ガラス基板１１８を側面１１８Ｓで支持することができる。従って、従来の前方支持部材２０とは異なり、支持部材１２０によって、ガラス基板１１８の前面１１８Ａの周囲が取り囲まれることはない。
【００５４】
このため、このような構成では、支持部材１２０がフィルタ基板１１５の前面に対して突出せず、視聴者に対して、すっきりとした印象を与えることができる。
【００５５】
また、この構成では、フィルタ基板１１５は、支持部材１２０によって支持されているため、支持部材を有さない装置のように、フィルタ基板１１５が装置１００から剥離したり、脱落したりする危険性が抑制される。
【００５６】
さらに、本発明の構成では、フィルタ基板１１５において、ガラス基板１１８の側面１１８Ｓは、支持部材１２０によって全体が被覆されており、周囲に露出していない。このため、本発明の構成では、支持部材１２０を排除した構成における問題、すなわちガラス基板の側面が露出して、小さな衝撃でも、ガラス基板の側面にワレや破損が生じるという問題を回避することができる。
【００５７】
以上、図３に示したフィルタ基板１１５および支持部材１２０の構成を例に、本発明によるプラズマディスプレイ装置の特徴を説明した。しかしながら、図３に示した構成とは異なる構成においても、本発明による効果が得られることは明らかである。
【００５８】
以下、図４〜図７を参照して、そのような構成の具体的な例についていくつか説明する。
【００５９】
図４〜図７には、フィルタ基板と支持部材の別の構成例を示す。なお、これらの図において、反射防止膜などの機能膜やガスケット等の他の部材は、説明の明確化のため省略されている。
【００６０】
図４の例では、フィルタ基板２１５は、側面に凸部２７０を有するガラス基板２１８を有する。また、支持部材２２０は、ガラス基板２１８の凸部２７０と丁度嵌合するように構成された凹部２８０を有する。この例では、ガラス基板２１８の側面の凸部２７０は、前面および裏面の両方がテーパ形状となっている。
【００６１】
図５には、フィルタ基板と支持部材のさらに別の構成例を示す。
【００６２】
図５の例では、フィルタ基板３１５は、側面に凸部３７０を有するガラス基板３１８を有する。また、支持部材３２０は、ガラス基板３１８の凸部３７０と丁度嵌合するように構成された凹部３８０を有する。この例では、ガラス基板３１８の側面の凸部３７０は、裏面側のみが突出した形状となっている。
【００６３】
図６には、フィルタ基板と支持部材のさらに別の構成例を示す。
【００６４】
図６の例では、フィルタ基板４１５は、側面に凸部４７０を有するガラス基板４１８を有する。また、支持部材４２０は、ガラス基板４１８の凸部４７０と丁度嵌合するように構成された凹部４８０を有する。この例では、ガラス基板４１８の側面の凸部４７０は、側面の中央部分が突出した形状となっている。
【００６５】
図７には、フィルタ基板と支持部材のさらに別の構成例を示す。
【００６６】
図７の例では、フィルタ基板５１５は、側面に嵌合部５７０を有するガラス基板５１８を有する。また、支持部材５２０は、ガラス基板５１８の嵌合部５７０と丁度嵌合するように構成された凹部５８０を有する。この例では、ガラス基板５１８の側面の嵌合部５７０は、前記ガラス基板の側端部を、実質上Ｌ字型に変形させることにより形成されている。
【００６７】
プラズマディスプレイ装置が図４〜図７に示すようなフィルタ基板と支持部材の組み合わせを有する場合も、前述のような本発明の効果が得られることは明らかであろう。また、これらの組み合わせが、前述のような本発明の効果が得られる構成の一例に過ぎないことは、当業者には明らかである。
【００６８】
ところで、以上の説明では、フィルタ基板（またはガラス基板）の１つの側面の構成についてのみ着目しており、その他の３つの側面については、特に記載されていない。しかしながら、その他の３つの側面の全てが、記載された１つの側面と同様の構成、すなわち嵌合部や凸部（１７０、２７０、３７０、４７０、または５７０）を有しても良いことは明らかである。
【００６９】
ただし、本発明は、４つの側面の全てがそのような構成を有する形態に限られるものではない。例えば、フィルタ基板（またはガラス基板）の対向する２つの側面のみが、前述のような嵌合部（１７０、２７０、３７０、４７０、または５７０）を有し、残りの２つの側面は、平坦な側面で構成されても良い。
【００７０】
あるいは、フィルタ基板（またはガラス基板）は、３つの側面が前述のような嵌合部（１７０、２７０、３７０、４７０、または５７０）を有し、残りの１つの側面は、平坦な側面となるように、構成されても良い。このような構成の場合、通常は、フィルタ基板の平坦な側面を有する側が、プラズマディスプレイ装置の上側に相当するようにして、フィルタ基板が装置に対して配置されることになろう。
【００７１】
（フィルタ基板１１５について）
次に、図３に示したフィルタ基板１１５を例に、フィルタ基板１１５を構成する各部材について、より詳しく説明する。なお、以下の説明が、図４〜図７に示したフィルタ基板２１５、３１５、４１５、５１５等にも同様に適用され得ることは、当業者には明らかである。
【００７２】
図３を用いて説明したように、フィルタ基板１１５は、ガラス基板１１８、電磁波遮蔽膜１９５Ｂなどの各種機能膜、および任意で設置されるセラミック層１９６等により構成される。
【００７３】
（ガラス基板１１８）
ガラス基板１１８の材質等は、特に限られないが、透過率が高く、着色が少ないものが望ましい。ガラス基板１１８として、通常は、可視光透過率Ｔｖが９０．２％、可視光反射率Ｒｖが８．２％、ヘイズ（濁度）が０．０６％、ｘｙ色度座標における色度値がｘ＝０．３０７、ｙ＝０．３１４のものが使用される。
【００７４】
例えば、ガラス基板１１８は、ソーダライムガラス基板であっても良い。また、ガラス基板１１８は、化学強化処理されていても良い。
【００７５】
ここで、「化学強化処理」とは、ガラス基板をアルカリ金属を含む溶融塩中に浸漬させ、ガラス基板の最表面に存在する原子径の小さなアルカリ金属（イオン）を、溶融塩中に存在する原子径の大きなアルカリ金属（イオン）と置換する技術の総称を言う。「化学強化処理」により処理されたガラス基板の表面には、元の原子よりも原子径の大きなアルカリ金属（イオン）が配置される。このため、ガラス基板の表面に圧縮応力層を形成することができ、これによりガラス基板の強度を高めることができる。
【００７６】
ガラス基板１１８の厚さは、１．５ｍｍ〜３．５ｍｍの範囲であっても良い。ガラス基板１１８が化学強化処理されている場合、ガラス基板１１８の厚さは、０．２ｍｍ〜１．０ｍｍの範囲であることが好ましい。
【００７７】
（電磁波遮蔽膜１９５Ｂ）
通常の場合、電磁波遮蔽膜１９５Ｂは、蒸着法、スパッタ法、またはＣＶＤ法等の薄膜形成法を適用して形成される。例えば、透明基体や透明樹脂フィルム上にスパッタ法で導電膜を形成することにより、電磁波遮蔽膜１９５Ｂを形成することができる。そのような膜は、電磁波遮蔽機能に加えて、近赤外線遮蔽機能を有する場合もある。
【００７８】
導電膜は、通常、金属酸化物層（ＩｎとＳｎとの酸化物、ＴｉとＺｎとの酸化物、ＡｌとＺｎとの酸化物、酸化ニオブ等）と、金属層（Ａｇ、Ａｇ合金等）とを交互に積層することにより構成される。金属層の層数は、ｎ（ただし、ｎは１以上の整数である）であり、金属酸化物層の層数は、ｎ＋１であることが好ましい。
【００７９】
電磁波遮蔽膜１９５Ｂの別の例としては、透明基体上に銅からなる導電性メッシュ層を形成したもの（導電性フィルム）が挙げられる。通常、この導電性フィルムは、透明基体上に銅箔を貼りあわせた後、メッシュ状に加工することにより製造される。
【００８０】
前述のように、電磁波遮蔽膜１９５Ｂ上の一部には、導電性のガスケット１９８が設置される。ガスケット１９８は、例えば内部に樹脂製のスポンジなどのクッション性の素材を含む、筒状の金属フィルムまたは金属メッシュ等で構成される。また、必要に応じて、界面の抵抗を低減するため、電磁波遮蔽膜１９５Ｂと導電性のガスケット１９８の間に、銅製のテープが設置されても良い。また、ガスケット１９８の代わりに金属製の板バネ状部材を用いることもできる。
【００８１】
（反射防止膜１９５Ａ）
反射防止膜１９５Ａは、蛍光灯や視聴者等の、プラズマディスプレイ装置の周囲に配置される物や人の像の写りこみ低減のために、必要な場合、設置される。反射防止膜１９５Ａは、この目的が達成される限り、いかなる構成であっても良い。
【００８２】
反射防止膜１９５Ａは、例えば、透明基体と反射防止層とで構成されても良い。
【００８３】
透明基体には、例えば透明樹脂フィルムなどが使用される。透明樹脂フィルムの材料としては、ポリエチレンテレフタレート、ポリブリレンテレフタレートなどのポリエステル系樹脂、トリアセチルセルロースなどのセルロース系樹脂、アクリル系樹脂、およびポリカーボネート系樹脂などが挙げられる。これらの中では、ポリエチレンテレフタレート、トリアセチルセルロースは、透明性や加工のしやすさなどの観点で特に好ましい。
【００８４】
透明基体の厚さは、例えば１０μｍ〜５００μｍの範囲であっても良く、特に３０μｍ〜３００μｍの範囲であることが好ましく、５０μｍ〜２００μｍの範囲であることがより好ましい。透明基体の厚さを１０μｍ以上とすることで、反射防止膜１９５Ａが破損しにくくなる。一方、厚さを５００μｍ以下とすることで、加工がしやすくなる上、透明基体の可視光線透過率を大きくすることができる。
【００８５】
一方、反射防止層は、屈折率の低い無機化合物と屈折率の高い無機化合物とを交互に積層した積層体、または屈折率の低い無機化合物からなる層、または屈折率の低い樹脂からなる層などで構成される。
【００８６】
屈折率の低い樹脂としては、フッ素樹脂、シリコーン樹脂、およびフルオロシリコーン樹脂などが挙げられる。屈折率の低い無機化合物としては、二酸化珪素などが挙げられる。特に、ポリエチレンテレフタレートフィルムの片面に、含フッ素重合体からなる低屈折率材料が形成された反射防止層を用いることが好ましい。このような例としては、旭硝子社製の商品名：アークトップ（ＵＲＰ２１９９）や、日本油脂社製の商品名：リアルック（ＲＬＸ１０００、ＲＬＸ４０００、ＲＬ７８００、ＲＬ９１００）などが挙げられる。
【００８７】
ここで、低い屈折率とは、屈折率が１．１〜１．６である場合を言うが、特に屈折率は、１．２〜１．５であることが好ましく、１．３〜１．４８であることがより好ましい。
【００８８】
なお、反射防止膜のかわりに、可視光線の反射による映りこみを低減するための防眩膜（アンチグレア膜）を設けてもよい。防眩膜としては、例えば、日本油脂社製の商品名：リアルック（ＲＬ５５００）などが挙げられる。
【００８９】
（セラミック層１９６）
セラミック層１９６は、前述のように、フィルタ基板１１５のデザイン性や装飾性をさらに高めるために設置される。
【００９０】
セラミック層１９６は、ガラス基板１１８の裏面１１８Ｂに、例えば周縁部に沿って設置される。
【００９１】
セラミック層１９６の厚さは、特に限られない。セラミック層１９６の厚さは、例えば、５μｍ〜２５μｍの範囲であっても良い。
【００９２】
通常の場合、セラミック層１９６は、セラミック粒子で構成される。このセラミック粒子は、ガラス組成物と耐熱顔料とで構成される。また、セラミック粒子は、必要な場合、さらに耐火物フィラーを含んでも良い。
【００９３】
セラミック層１９６は、ガラス基板１１８の裏面１１８Ｂの周縁部に、例えばインクをスクリーン印刷することにより設置される。インクは、例えば、ガラス組成物、耐熱顔料および耐火物フィラーを含むセラミック粒子の固形成分を有機ビヒクルに混合、分散させることにより調製される。その後、このインクが熱処理され、ガラス基板１１８にセラミック層１９６が焼き付けられる。
【００９４】
（近赤外線吸収膜）
この他、ガラス基板１１８の前面１１８Ａまたは裏面１１８Ｂに、近赤外線吸収膜が設置されても良い。
【００９５】
近赤外線吸収膜は、透明基体と近赤外線吸収層とを有する。透明基体の材質としては、ポリエチレンテレフタレート、ポリブリレンテレフタレートなどのポリエステル系樹脂、トリアセチルセルロースなどのセルロース系樹脂、アクリル系樹脂、およびポリカーボネート系樹脂などが挙げられる。これらの中では、特に、ポリエチレンテレフタレート、トリアセチルセルロースが、透明性や加工のしやすさなどの観点で好ましい。
【００９６】
透明基体の厚さは、１０μｍ〜５００μｍであることが好ましく、３０μｍ〜３００μｍであることがより好ましく、５０μｍ〜２００μｍであることがさらに好ましい。透明基体の厚さを１０μｍ以上にすることで、近赤外線吸収膜に破損が生じにくくなる。厚さを５００μｍ以下にすることで、加工がしやすくなり、また透明基体の可視光線透過率を大きくすることができる。
【００９７】
近赤外線吸収層は、アクリル系樹脂などをバインダ樹脂とし、このバインダ樹脂中に近赤外線吸収色素を含有させることにより構成される。近赤外線吸収色素としては、ジイモニウム系色素、フタロシアニン系色素、ジチオール錯体系色素、スクアリリウム系色素、および酸化タングステン系色素などが挙げられる。
【００９８】
（接着層）
この他、フィルタ基板１１５と表示パネル１３０の間に、さらに接着層が設けられても良い。これにより、フィルタ基板１１５をより強固に、装置１００に保持することができる。
【００９９】
この接着層は、ガラス基板１１８と同等の光学的特性（透過率、屈折率等）を有する。
【０１００】
通常の場合、接着層は、光（可視光、紫外線など）硬化型の樹脂組成物で構成される。光硬化型の樹脂の一例は、ポリウレタンアクリレート、ポリイソプレン系アクリレート、またはそのエステル化物、テルペン系水素添加樹脂、およびブタジエン重合体から選定された１種以上のポリマーと、イソボルニルアクリレート、ジシクロペンテニルオキシエチルメタクリレート、および２−ヒドロキシブチルメタクリレートから選定された１種以上のアクリレート系モノマーと、光重合開始剤と、を有する樹脂組成物である。
【０１０１】
以上、本発明によるプラズマディスプレイ装置の一例について説明した。ただし、上記記載は、一例であって、この他にも、本発明の効果を有する様々な構成のプラズマディスプレイ装置を提供することができることは当業者には明らかである。
【産業上の利用可能性】
【０１０２】
本発明は、プラズマディスプレイ装置等のＦＰＤ装置に適用することができる。
【符号の説明】
【０１０３】
１０      従来のプラズマディスプレイ装置
１３      ビス
１５      フィルタ基板
２０      前方支持部材
２５      後部筐体
２５ａ    後部樹脂部材
２５ｂ    後部金属部材
３０      表示パネル
３１      基板
３５      内部金具
４０      導電性のガスケット
５０      装置の前側
６０      装置の後側
１００    本発明によるプラズマディスプレイ装置
１１３Ａ〜１１３Ｃ  ビス
１１５    フィルタ基板
１１８    ガラス基板
１１８Ａ  ガラス基板の前面
１１８Ｂ  ガラス基板の裏面
１１８Ｓ  ガラス基板の側面
１２０    支持部材
１２５    後部筐体
１３０    表示パネル
１３５Ａ  内部金属部材
１３５Ｂ  内部金属部材
１５０    前側
１６０    後側
１７０    ガラス基板の嵌合部
１８０    支持部材の凹部
１９５Ａ  反射防止膜
１９５Ｂ  電磁波遮蔽膜
１９６    セラミック層
１９８    導電性のガスケット
２１５、３１５、４１５、５１５  フィルタ基板
２１８、３１８、４１８、５１８  ガラス基板
２２０、３２０、４２０、５２０  支持部材
２７０、３７０、４７０  ガラス基板の凸部
２８０、３８０、４８０、５８０  支持部材の凹部
５７０    ガラス基板の嵌合部
【図１】
2012083557.tif 000003
【図２】
2012083557.tif 000004
【図３】
2012083557.tif 000005
【図４】
2012083557.tif 000006
【図５】
2012083557.tif 000007
【図６】
2012083557.tif 000008
【図７】
2012083557.tif 000009